(57)【要約】【課題】処理速度が速くかつより安価なグローバルアンチパスバックチェック、ルートチェックが行える出入管理システムを提供する。【解決手段】通行者が携帯するＩＤ番号と特定の領域へのゲート通過時毎に書き換えられる現在いる領域が分かる通行情報を格納した書き換え可能な携帯型記憶ユニットと、特定の領域への複数のゲートの各々に設けられ、それぞれに通行を許可されたＩＤ番号および通行条件を予め記憶し、通行者の携帯型記憶ユニットからＩＤ番号と通行情報を読み取り、予め記憶されたＩＤ番号に基づきＩＤ判定を行うと共に、予め記憶された通行条件に通行情報が適合していれば通行者を通行可能にすると共にゲートを通過した次の領域にいることを示すように携帯型記憶ユニット内の通行情報を書き換えるグローバルアンチパスバックチェックを行う出入コントローラと、を備えた。【選択図】        図６
2004287991.tif 000002
【特許請求の範囲】
【請求項１】
ＩＤ判定と共にグローバルアンチパスバックチェックを行って特定の領域への出入りを管理する出入管理システムであって、
各通行者が使用し、ＩＤ番号と共に特定の領域に出入りするためのゲート通過時毎に書き換えられる現在いる領域が分かる通行情報を格納した繰り返し書き換え可能な携帯型記憶ユニットと、
上記特定の領域へ出入りするための複数のゲートの各々に設けられ、それぞれに通行を許可されたＩＤ番号および通行条件を予め記憶し、通行者の上記携帯型記憶ユニットからＩＤ番号および通行情報を読み取り、予め記憶された通行を許可されたＩＤ番号に基づきＩＤ判定を行うと共に、予め記憶された通行条件に通行情報が適合していれば通行者を通行可能にする指令をゲートに発生すると共にゲートを通過した次の領域にいることを示すように上記携帯型記憶ユニット内の通行情報を書き換えるグローバルアンチパスバックチェックを行う出入コントローラと、
を備えたことを特徴とする出入管理システム。
【請求項２】
上記グローバルアンチパスバックチェックのための通行条件が、ある領域に入るための条件がその領域にその通行人がいないことであり、ある領域から出るための条件が、その領域にその通行人がいることであることを特徴とする請求項１に記載の出入管理システム。
【請求項３】
ＩＤ判定と共にルートチェックを行って予め定められた順番で複数の領域を移動する際の各領域への出入りを管理する出入管理システムであって、
各通行者が使用し、ＩＤ番号と共に各領域に出入りするためのゲート通過時毎に書き換えられる現在いる領域が分かる通行情報を格納した繰り返し書き換え可能な携帯型記憶ユニットと、
上記領域へ出入するための各ゲート毎に設けられ、それぞれに通行を許可されたＩＤ番号および予め定められた順番に従った領域への出入りに関する通行条件を予め記憶し、通行者の上記携帯型記憶ユニットからＩＤ番号および通行情報を読み取り、予め記憶された通行を許可されたＩＤ番号に基づきＩＤ判定を行うと共に、予め記憶された通行条件に通行情報が適合していれば通行者を通行可能にする指令をゲートに発生すると共にゲートを通過して次の領域にいることを示すように上記携帯型記憶ユニット内の通行情報を書き換えるルートチェックを行う出入コントローラと、
を備えたことを特徴とする出入管理システム。
【請求項４】
ローカルアンチパスバックチェックも行うことを特徴とする請求項３に記載の出入管理システム。
【請求項５】
上記ルートチェックのための通行条件がゲート通過前に通行者がどの領域にいるかという条件であることを特徴とする請求項３又は４に記載の出入管理システム。
【請求項６】
上記出入コントローラが、上記携帯型記憶ユニットに対する通行情報の読み書きを行うと共にチェック結果を表示するゲートの内側および外側にそれぞれ設けられたユニットと、これらに接続された上記携帯型記憶ユニットに対する通行情報の読み書きの制御、得られた通行情報に従ったチェック処理制御およびチェック処理結果に従ったゲート施解錠制御を行う制御部分と、を含むことを特徴とする請求項１ないし５のいずれか１項に記載の出入管理システム。
【請求項７】
上記携帯型記憶ユニットが繰り返し書き換え可能なＩＤカードであることを特徴とする請求項１ないし６のいずれか１項に記載の出入管理システム。
【請求項８】
上記携帯型記憶ユニットが携帯情報端末であることを特徴とする請求項１ないし６のいずれか１項に記載の出入管理システム。
【請求項９】
上記携帯型記憶ユニットが移動式電話であることを特徴とする請求項１ないし６のいずれか１項に記載の出入管理システム。
【発明の詳細な説明】
【０００１】
【発明の属する技術分野】
この発明は、各人が保持するＩＤカードにより、アンチパスバックスルーシステムを使用する施設の通行口（例えばセキュリティルームや事業所等の出入口、駅の改札口等）での通行が正通行か不正通行かを識別しその結果に基づき施設に適した処置を行うアンチパスバックチェックを行う出入管理システムに関する。
【０００２】
【従来の技術】
従来、ある１つの部屋のみを対象にドアの内側と外側にそれぞれ制御部を設けローカルアンチパスバックチェックを行うシステムがある（例えば特許文献１参照）。
【０００３】
【特許文献１】
特開２０００−２７６６２２号公報
【０００４】
【発明が解決しようとする課題】
従来はある１つの部屋のみを対象にローカルアンチパスバックチェックを行っていたが、その範囲をさらに広げ、例えば複数のドアを設けたり複数の領域が複合的に組み合わされている環境において各領域に入る又は出る人に対しアンチパスバックチェックを行うグローバルアンチパスバックチェックを行う場合には、多くのコントローラで記憶している通行情報を全てホストコンピュータに集め、そこでグローバルアンチパスバックのチェックを行う必要があるため、処理速度が数秒かかり実用に耐えない（通常１秒以内が許容範囲）、また処理速度を早めようとするとミニコン以上の高価なコンピュータが必要となるという課題があった。
【０００５】
この発明は上記の課題を解消するためになされたもので、処理速度が速くかつより安価なグローバルアンチパスバックチェックさらにはルート（アンチパスバック）チェックが行える出入管理システムを提供することを目的とする。
【０００６】
【課題を解決するための手段】
上記の目的に鑑みこの発明は、ＩＤ判定と共にグローバルアンチパスバックチェックを行って特定の領域への出入りを管理する出入管理システムであって、各通行者が使用し、ＩＤ番号と共に特定の領域に出入りするためのゲート通過時毎に書き換えられる現在いる領域が分かる通行情報を格納した繰り返し書き換え可能な携帯型記憶ユニットと、上記特定の領域へ出入りするための複数のゲートの各々に設けられ、それぞれに通行を許可されたＩＤ番号および通行条件を予め記憶し、通行者の上記携帯型記憶ユニットからＩＤ番号および通行情報を読み取り、予め記憶された通行を許可されたＩＤ番号に基づきＩＤ判定を行うと共に、予め記憶された通行条件に通行情報が適合していれば通行者を通行可能にする指令をゲートに発生すると共にゲートを通過した次の領域にいることを示すように上記携帯型記憶ユニット内の通行情報を書き換えるグローバルアンチパスバックチェックを行う出入コントローラと、を備えたことを特徴とする出入管理システムにある。
【０００７】
【発明の実施の形態】
この発明による出入管理システムにおけるグローバルアンチパスバックチェックでは、どこかのドアから入ったらカードのメモリに”１”を立て、出る時はそのカードのメモリに”１”が立っていることをチェックして出ることを許可することで、高性能のパーソナルコンピュータで照合する必要はなく、出入コントローラだけで照合できるので処理が早い。
またこの発明による出入管理システムにおけるルートチェックでは、決められたルートで入ると１つ前のドアを通ったフラグに”１”が立っているので、それをチェックして通行を許可する。また同時にローカルアンチパスバックチェックも行う。これも同様に出入りコントローラだけで照合できるので処理が早い。
以下、図に従ってこの発明の具体的な実施の形態を説明する。
【０００８】
実施の形態１．
図１はこの発明の出入管理システムを設けたグローバルアンチパスバックチェックあるいはルートアンチパスバックチェックを行う領域のレイアウトの一例を示す図である。領域すなわち例えば部屋Ａ−Ｄ（Ａ−Ｄは部屋名）には４つのゲートである例えばドアＡｄ〜Ｄｄがあり、また部屋Ａ−Ｄ内の連なった３つの部屋Ｅ〜ＧにもドアＥｄ〜Ｇｄがそれぞれ設けられており、これらのドアＡｄ〜Ｇｄにはそれぞれアンチパスバックチェックを行うための出入コントローラ１０Ａ〜１０Ｇが設置されている。
【０００９】
出入コントローラ１０Ａ〜１０Ｇは基本的に同一構成を有し、その一例を図２に示す。図２においてバス１には、演算処理装置であるＣＰＵ２、プログラム等を格納した書き換え可能なフラッシュＲＯＭ３、実行領域となる一時データを格納するＲＡＭ４、ドア近傍の部屋の外側（”入”で示す）に設けられた、携帯型記憶ユニットの一例であるＩＤカード等（図４参照）のためのカードリーダ／ライタヘッド５ＩＮと確認（チェック）結果を示すＯＫ／ＮＧ表示器６ＩＮ、同様にドア近傍の部屋の内側（”出”で示す）に設けられたＩＤカード等のためのカードリーダ／ライタヘッド５ＯＵＴと確認結果を示すＯＫ／ＮＧ表示器６ＯＵＴ、ドアへの施解錠指令を出力するためのＩ／Ｏユニット７、および通行許可されたＩＤ番号やそれぞれの通行条件を各出入コントローラ１０Ａ〜１０Ｇ（フラッシュＲＯＭ３内に格納）にダウンロードするパーソナルコンピュータ（ＰＣ）（図３参照）との通信を行う伝送ユニット８が接続されている。
【００１０】
これらの出入コントローラ１０Ａ〜１０Ｇは図３に示すようにＰＣ９に接続されている。図３において例えばドアＡｄの出入コントローラ１０Ａの制御部分ＣＡは図２の２〜４と７と８からなり、部屋の外側ユニットＡ入は５ＩＮと６ＩＮからなり、内側ユニットＡ出は５ＯＵＴと６ＯＵＴからなる（他の出入コントローラも同様）。これらのユニットはそれぞれ、例えば図４に示すような外観の構成とすればよい。ＩＤＣはＩＤカードを示す。なお図の各出入コントローラの制御部分、外側ユニット、内側ユニットは必ずしも一体に構成される必要はない。
【００１１】
ローカルアンチパスバックチェックにおいて、ある部屋に入るための条件は、（１）その部屋にその人がいない、（２）ＩＤ番号がＯＫ（予め許可されているもの）であり、ある部屋から出るための条件は、（１）その部屋にその人がいる、（２）ＩＤ番号がＯＫである。つまり、アンチパスバックチェックとはＩＤカードである部屋に入る人が自分のＩＤカードを他の人に渡し（パスバック）、他の人が後刻そのカードを流用して通行することを防ぐためのチェックである。
【００１２】
またグローバルアンチパスバックチェックとは、ローカルはある部屋であったが、その範囲をさらに広げ、ある特定エリアに入る又は出る人に対し、アンチパスバックチェックを行う機能である。
【００１３】
ローカルアンチパスバックチェックは一般的には１つのドアに対して行われるため、１つのコントローラでチェックを行うため、早い処理速度が得られるが、グローバルアンチパスバックチェックは複数のコントローラで記憶している通行情報を全てパソコン（コンピュータ）に集め、そこでグローバルアンチパスバックのチェックを行うため処理速度が遅くなったり、高性能の高価なコンピュータが不要になる。
【００１４】
しかしながら、この発明では所望の出入管理を行うために、各ドア毎に設けられている出入コントローラにそれぞれその設置位置に従って通行を許可された通行者のＩＤ番号およびそのドアの通行条件を予め記憶しておくことで、特に１つのコンピュータに情報を集めることなく、グローバルアンチパスバックチェック、さらには複数の領域を予め定められた順番に通過したことをチェックするルート（アンチパスバック）チェックが行える。
【００１５】
この発明においては、グローバルアンチパスバックチェックを行う場合とルートチェックを行う場合がある。グローバルアンチパスバックチェックでは、複数あるドアのいずれかから部屋または所定領域（以下単に部屋として説明）に入る時にその部屋にいることを示すフラグ（通行情報）が”０”（不在の意味）であれば入室をＯＫ（許可）とし、入る時にＩＤカードのメモリのその部屋にいることを示すフラグに”１”を立てる。部屋から出る時はそのＩＤカードのメモリの上記フラグ”１”が立っていることを確認して出ることをＯＫ（許可）とし、出る時にそのフラグを”０”にする。
【００１６】
これにより、図３の複数の出入コントローラ１０Ａ〜１０Ｇを集中して制御管理するようなＰＣ９で照合する必要はなく個々の出入コントローラ１０Ａ〜１０Ｇだけで照合でき、早い処理が行える。また、ルートチェックでは、決められたルート（例えば図１の部屋Ａ−Ｄ→部屋Ｅ→部屋Ｆ→部屋Ｇ）で入ると１つ前のドアを通った所定のフラグ”１”が立っているのでそれをチェックして通行を許可する。又、同時にローカルアンチパスバックチェックも行う。これも同様に個々の出入コントローラ１０Ａ〜１０Ｇだけで照合できるので早い処理が行える。
【００１７】
なおＩＤカードのメモリ内のフラグの構成は例えば図５に示すように各部屋毎にフラグ（通行者が現在いる領域を示す通行情報）を設けておく（通行者がこれらの領域の外にいる初期状態では全てのフラグが”０”になっている）。グローバルアンチパスバックチェックやルートチェック／ローカルアンチパスバックチェックを行う場合の通行許可されたＩＤ番号や通行条件は予めＰＣ９から各出入コントローラ１０Ａ〜１０Ｇにダウンロードされ、各出入コントローラ１０Ａ〜１０ＧはこれらをフラッシュＲＯＭ３（図２）に格納しておく。なおＰＣ９は、通行許可されたＩＤ番号やそれぞれの通行条件を各出入コントローラ１０Ａ〜１０Ｇ（フラッシュＲＯＭ３内に格納）にダウンロードするためだけのものであり、別の方法で各出入コントローラ１０Ａ〜１０Ｇにこれらの情報を格納するのであれば、ＰＣ９はこの発明には不要である。
【００１８】
次に各出入コントローラ１０Ａ〜１０Ｇでの動作につて説明するが、これらは各出入コントローラのフラッシュＲＯＭ３に格納されたプログラムに従ってＣＰＵ２による制御により実行される。
図６〜７のフローチャートに従ってグローバルアンチパスバックチェックを行う場合の動作を説明すると（出入コントローラ１０Ａ〜１０Ｄ共通）、例えば図１のドアＡｄ〜Ｄｄの出入コントローラ１０Ａ〜１０Ｄにおいて（それぞれ独立の制御を行う）、自らのドアＡｄ〜Ｄｄの入方向（”入”側）すなわちカードリーダ／ライタヘッド６ＩＮ（図２）でＩＤカードがリードされると（ステップ６１）、フラッシュＲＯＭ３に格納されてダウンロードされた情報に基づきそのＩＤ番号が許可（ＯＫ）されているか否かを判断し（ステップ６２）、許可されたものであればＩＤカード内のＡ−Ｄフラグ（図５）が”０”となっているか否かを判断し（ステップ６３）、なっていればリードを行った対象のドアを一時解錠する解錠指令を送信し（ステップ６４）、またこれと共に入方向（”入”側）のＯＫ／ＮＧ表示器６ＩＮのＯＫ灯を一時点灯し（ステップ６５）またＩＤカード内のＡ−Ｄフラグに”１”を立てる（ステップ６６）。一方、ＩＤ番号が未許可の場合あるいはＡ−Ｄフラグが”０”でなかった場合には（ステップ６２，６３）、ＯＫ／ＮＧ表示器６ＩＮのＮＧ灯を一時点灯する（ステップ６７）。
【００１９】
また、すでに部屋Ａ−Ｄ内にいて、ドアＡｄ〜Ｄｄの入方向ではなく（ステップ６１）出方向（”出”側）すなわちカードリーダ／ライタヘッド６ＯＵＴ（図２）でＩＤカードがリードされた場合には（図７のステップ７１）、フラッシュＲＯＭ３に格納されてダウンロードされた情報に基づきそのＩＤ番号が許可（ＯＫ）されているか否かを判断し（ステップ７２）、許可されたものであればＩＤカード内のＡ−Ｄフラグ（図５）が”１”となっているか否かを判断し（ステップ７３）、なっていればリードを行った対象のドアを一時解錠する解錠指令を送信し（ステップ７４）、またこれと共に出方向（”出”側）のＯＫ／ＮＧ表示器６ＯＵＴのＯＫ灯を一時点灯し（ステップ７５）またＩＤカード内のＡ−Ｄフラグを”０”にする（ステップ７６）。一方、ＩＤ番号が未許可の場合あるいはＡ−Ｄフラグが”１”でなかった場合には（ステップ７２，７３）、ＯＫ／ＮＧ表示器６ＯＵＴのＮＧ灯を一時点灯する（ステップ７７）。
【００２０】
このように通行情報すなわちＡ−Ｄフラグ等をＩＤカードに記憶することにより、その人のグローバルアンチパスバックチェックを通行しようとするドアの出入コントローラ１０でチェック（通行情報もＩＤカードからリードする）するようにできるため、予め通行許可されたＩＤ番号を内蔵していたり、最初にＰＣから通行許可されたＩＤ番号がダインロードされれば、出入コントローラ１０単独でチェックが行えるため早い処理が行える。
【００２１】
次に図８〜１３のフローチャートに従ってルートチェック／ローカルアンチパスバックチェックを行う場合の動作を説明する。図１の部屋Ｅ、Ｆ、Ｇをこの順番に通過することをチェックする場合、まず部屋Ｅへの出入りに関し図８において、図１のドアＥｄの出入コントローラ１０Ｅで自らのドアＥｄの入方向（”入”側）すなわちカードリーダ／ライタヘッド６ＩＮ（図２）でＩＤカードがリードされると（ステップ８１）、フラッシュＲＯＭ３に格納されてダウンロードされた情報に基づきそのＩＤ番号が許可（ＯＫ）されているか否かを判断し（ステップ８２）、許可されたものであればＩＤカード内のＥフラグ（図５）が”０”となっているか否かを判断し（ステップ８３）、なっていればドアＥｄを一時解錠する解錠指令を送信し（ステップ８４）、またこれと共に入方向（”入”側）のＯＫ／ＮＧ表示器６ＩＮのＯＫ灯を一時点灯し（ステップ８５）またＩＤカード内のＥフラグに”１”を立てる（ステップ８６）。一方、ＩＤ番号が未許可の場合あるいはＥフラグが”０”でなかった場合には（ステップ８２，８３）、ＯＫ／ＮＧ表示器６ＩＮのＮＧ灯を一時点灯する（ステップ８７）。
【００２２】
また、すでに部屋Ｅ内にいて、ドアＥｄの入方向ではなく（ステップ８１）出方向（”出”側）すなわちカードリーダ／ライタヘッド６ＯＵＴ（図２）でＩＤカードがリードされた場合には図９へ移り（図９のステップ９１）、フラッシュＲＯＭ３に格納されてダウンロードされた情報に基づきそのＩＤ番号が許可（ＯＫ）されているか否かを判断し（ステップ９２）、許可されたものであればＩＤカード内のＥフラグ（図５）が”１”となっているか否かを判断し（ステップ９３）、なっていればドアＥｄを一時解錠する解錠指令を送信し（ステップ９４）、またこれと共に出方向（”出”側）のＯＫ／ＮＧ表示器６ＯＵＴのＯＫ灯を一時点灯し（ステップ９５）またＩＤカード内のＥフラグを”０”にする（ステップ９６）。一方、ＩＤ番号が未許可の場合あるいはＥフラグが”１”でなかった場合には（ステップ９２，９３）、ＯＫ／ＮＧ表示器６ＯＵＴのＮＧ灯を一時点灯する（ステップ９７）。以上は出入コントローラ１０Ｅでの動作である。
【００２３】
次に部屋Ｅから部屋Ｆへ移る場合に係わる部屋Ｆへの出入りに関し図１０において、図１のドアＦｄの出入コントローラ１０Ｆで自らのドアＦｄの入方向（”入”側）すなわちカードリーダ／ライタヘッド６ＩＮ（図２）でＩＤカードがリードされると（ステップ１０１）、フラッシュＲＯＭ３に格納されてダウンロードされた情報に基づきそのＩＤ番号が許可（ＯＫ）されているか否かを判断し（ステップ１０２）、許可されたものであればＩＤカード内のＥフラグ（図５）が”１”、Ｆフラグ（図５）が”０”となっているか否かを判断し（ステップ１０３ａ、１０３ｂ）、それぞれなっていればドアＦｄを一時解錠する解錠指令を送信し（ステップ１０４）、またこれと共に入方向（”入”側）のＯＫ／ＮＧ表示器６ＩＮのＯＫ灯を一時点灯し（ステップ１０５）またＩＤカード内のＥフラグを”０”としＦフラグに”１”を立てる（ステップ１０６ａ、１０６ｂ）。一方、ＩＤ番号が未許可の場合あるいはＥフラグが”１”でない、あるいはＦフラグが”０”でなかった場合には（ステップ１０２，１０３ａ，１０３ｂ）、ＯＫ／ＮＧ表示器６ＩＮのＮＧ灯を一時点灯する（ステップ１０７）。
【００２４】
また、すでに部屋Ｆ内にいて、ドアＦｄの入方向ではなく（ステップ１０１）出方向（”出”側）すなわちカードリーダ／ライタヘッド６ＯＵＴ（図２）でＩＤカードがリードされた場合には（図１１のステップ１１１）、フラッシュＲＯＭ３に格納されてダウンロードされた情報に基づきそのＩＤ番号が許可（ＯＫ）されているか否かを判断し（ステップ１１２）、許可されたものであればＩＤカード内のＦフラグ（図５）が”１”となっているか否かを判断し（ステップ１１３）、なっていればドアＦｄを一時解錠する解錠指令を送信し（ステップ１１４）、またこれと共に出方向（”出”側）のＯＫ／ＮＧ表示器６ＯＵＴのＯＫ灯を一時点灯し（ステップ１１５）またＩＤカード内のＦフラグを”０”にする（ステップ１１６）。一方、ＩＤ番号が未許可の場合あるいはＦフラグが”１”でなかった場合には（ステップ１１２，１１３）、ＯＫ／ＮＧ表示器６ＯＵＴのＮＧ灯を一時点灯する（ステップ１１７）。以上は出入コントローラ１０Ｆでの動作である。
【００２５】
そして同様に部屋Ｆから部屋Ｇへ移る場合に係わる部屋Ｇへの出入りに関しては図１２と図１３に従って出入コントローラ１０Ｇで制御が行われるが、これらの動作は図８と図９、図１０と図１１のものと基本的に同じであるので詳細な説明は省略する。このようにしてルートチェック／ローカルアンチパスバックチェックを行うことができる。
【００２６】
実施の形態２．
なお、上記実施の形態では１つのグローバルエリア、１つのルートエリアに対する出入管理を行うものについて説明したが、他のグローバルエリア、他のルートチェックに対しても各々にＩＤカードのメモリエリアを設けることにより、同様に実施できる。
【００２７】
実施の形態３．
また、ルートチェックの方法は１つ前のドアをチェックするだけでなく、全体の通行ルート（通行するドアすなわち領域）をチェックしても同様にできる。この場合、例えばＩＤカード内の部屋Ｅ、Ｆ、Ｂのそれぞれのフラグをチェックし、通行条件（通行ルートの各部屋すなわち領域の通過、不通過すなわちフラグの状態を条件とする）と照合するようにする。
【００２８】
実施の形態４．
また、ＩＤカードは磁気カード、ＩＣカード、非接触ＩＣカード等、記憶できるカードならどんなカードでも同様に使用できる。但しこの場合、図２で示すカードリーダ／ライタヘッド５ＩＮ、５ＯＵＴの部分を使用するカードの機種に合わせて変更する必要がある。さらに光カードのようにメモリ容量が過大なカードに対してはくり返し記憶を利用できないカードでも同様に実施できる。
【００２９】
実施の形態５．
さらに上記実施の形態では通行者が使用する携帯型記憶ユニットをＩＤカードとしてが、これの代わりに携帯情報端末あるいは移動式電話も使用可能である。この場合にも、図２で示すカードリーダ／ライタヘッド５ＩＮ、５ＯＵＴの部分を使用する携帯型記憶ユニットと通信が可能な構成に変更する必要がある。
【００３０】
このように構成することにより、通行情報をＩＤカードに記憶することにより、その人のグローバルアンチパスバックチェックを通行しようとするドアのコントローラでチェック（通行情報もＩＤカードからリードする）するようにしたできるため、速い処理が実現できかつ安価なシステムとなる。
また、ドアＡ→ドアＢ→ドアＣのように決められたルート順に通行しないと通行できないようにしたルートチェック機能に対しても、グローバルアンチパスバックと同様に処理することにより、同様の効果が得られる。
さらに本方式ではパーソナルコンピュータがダウンしても通行者に影響を与えないので信頼性が高くなる。
【００３１】
【発明の効果】
以上のようにこの発明によれば、ＩＤ判定と共にグローバルアンチパスバックチェックを行って特定の領域への出入りを管理する出入管理システムであって、各通行者が使用し、ＩＤ番号と共に特定の領域に出入りするためのゲート通過時毎に書き換えられる現在いる領域が分かる通行情報を格納した繰り返し書き換え可能な携帯型記憶ユニットと、上記特定の領域へ出入りするための複数のゲートの各々に設けられ、それぞれに通行を許可されたＩＤ番号および通行条件を予め記憶し、通行者の上記携帯型記憶ユニットからＩＤ番号および通行情報を読み取り、予め記憶された通行を許可されたＩＤ番号に基づきＩＤ判定を行うと共に、予め記憶された通行条件に通行情報が適合していれば通行者を通行可能にする指令をゲートに発生すると共にゲートを通過した次の領域にいることを示すように上記携帯型記憶ユニット内の通行情報を書き換えるグローバルアンチパスバックチェックを行う出入コントローラと、を備えたことを特徴とする出入管理システムとしたので、処理速度が速くかつより安価なグローバルアンチパスバックチェックが行える出入管理システムを提供することができる。
【図面の簡単な説明】
【図１】この発明の出入管理システムを設けたグローバルアンチパスバックチェックあるいはルートアンチパスバックチェックを行う領域のレイアウトの一例を示す図である。
【図２】この発明の出入管理システムにおける出入コントローラの基本構成の一例を示す図である。
【図３】この発明において通行許可されたＩＤ番号やそれぞれの通行条件を各出入コントローラにダウンロードする方法の一例を示す図である。
【図４】この発明の出入管理システムにおける携帯型記憶ユニットであるＩＤカードへのデータの読み書きを行うユニットの構成の一例を示す図である。
【図５】この発明の出入管理システムにおける携帯型記憶ユニットのメモリ内のフラグの構成の一例を示す図である。
【図６】この発明の出入管理システムにおけるグローバルアンチパスバックチェックの動作を説明するためのフローチャートである。
【図７】この発明の出入管理システムにおけるグローバルアンチパスバックチェックの動作を説明するためのフローチャートである。
【図８】この発明の出入管理システムにおけるルートチェック／ローカルアンチパスバックチェックの動作を説明するためのフローチャートである。
【図９】この発明の出入管理システムにおけるルートチェック／ローカルアンチパスバックチェックの動作を説明するためのフローチャートである。
【図１０】この発明の出入管理システムにおけるルートチェック／ローカルアンチパスバックチェックの動作を説明するためのフローチャートである。
【図１１】この発明の出入管理システムにおけるルートチェック／ローカルアンチパスバックチェックの動作を説明するためのフローチャートである。
【図１２】この発明の出入管理システムにおけるルートチェック／ローカルアンチパスバックチェックの動作を説明するためのフローチャートである。
【図１３】この発明の出入管理システムにおけるルートチェック／ローカルアンチパスバックチェックの動作を説明するためのフローチャートである。
【符号の説明】
１  バス、２  ＣＰＵ、３  フラッシュＲＯＭ、４  ＲＡＭ、５ＩＮ，５ＯＵＴ  カードリーダ／ライタヘッド、６ＩＮ，６ＯＵＴ  ＯＫ／ＮＧ表示器、７  Ｉ／Ｏユニット、８  伝送ユニット、１０Ａ〜１０Ｇ  出入コントローラ、ＩＤＣ  ＩＤカード（携帯型記憶ユニット）、Ａｄ〜Ｇｄ  ドア（ゲート）、Ａ−Ｄ，Ｅ，Ｆ，Ｇ  部屋（領域）。
【図１】
2004287991.tif 000003
【図２】
2004287991.tif 000004
【図３】
2004287991.tif 000005
【図４】
2004287991.tif 000006
【図５】
2004287991.tif 000007
【図６】
2004287991.tif 000008
【図７】
2004287991.tif 000009
【図８】
2004287991.tif 000010
【図９】
2004287991.tif 000011
【図１０】
2004287991.tif 000012
【図１１】
2004287991.tif 000013
【図１２】
2004287991.tif 000014
【図１３】
2004287991.tif 000015